(57)【要約】【課題】同じ集合包装容器を用いて多種類の商品の収納・展示に対応でき、この共通化により製作コストを大幅に低減できる集合包装容器を提供せんとする。【解決手段】上端が開口部２０を有し、内部に複数の同一種類の商品７，…が収納される容器本体２と、該容器本体２の開口部２０を臨む上方の複数の高さ位置に調整可能に設けられ、前記の各商品７の上部７０を当止するための上押え蓋３とより構成した。上押え蓋３は、平板状の押え部材３０とその側縁から下方に延びる腕部材３１とを備え、該腕部材に前記容器本体２の側壁に対して位置調整可能に係合する係合部４を備えている。【選択図】図２
2008001380.tif 000002
【特許請求の範囲】
【請求項１】
上端が開口され、内部に複数の同一種類の商品が収納される容器本体と、該容器本体の開口を臨む上方の複数の高さ位置に調整可能に設けられ、前記商品の上部を当止するための上押え蓋とよりなることを特徴とする集合包装容器。
【請求項２】
前記上押え蓋が、平板状の押え部材とその側縁から下方に延びる腕部材とを備え、該腕部材に前記容器本体の側壁に対して位置調整可能に係合する係合部を設けてなる請求項１記載の集合包装容器。
【請求項３】
前記上押え蓋を、前記押え部材の左右側縁から一対の前記腕部材をそれぞれ下方に延設し、正面視略コ字状に構成してなる請求項２記載の集合包装容器。
【請求項４】
前記腕部材の側縁に沿って複数の突部を形成するとともに、前記容器本体の側壁に前記腕部材を挿通する挿通穴を設け、該挿通穴の隅部の前記突部に対応する位置に、各突部を挿通し且つ係止するための線状の貫通溝を設けてなる請求項２又は３記載の集合包装容器。
【請求項５】
前記突部を腕部材先端側および基端側にそれぞれ傾斜を有する略三角形状又は台形形状に形成し、基端側の傾斜角度を先端側に比べて大きく設定してなる請求項４記載の集合包装容器。
【請求項６】
前記貫通溝を下方に傾斜する方向に設けてなる請求項５記載の集合包装容器。
【請求項７】
前記容器本体の少なくとも前方側壁の上部を切除するための切り取り用案内部を設けた請求項１〜６の何れか１項に記載の集合包装容器。
【請求項８】
前記切り取り用案内部を少なくとも前方及び左右の側壁に連続して形成し、前記上押え蓋が係合する側壁上部を該上押え蓋とともに除去可能とした請求項７記載の集合包装容器。
【請求項９】
前記容器本体および上押え蓋を、それぞれ板紙を加工して構成してなる請求項１〜８の何れか１項に記載の集合包装容器。
【発明の詳細な説明】
【技術分野】
【０００１】
本発明は、同一種類の複数の商品をまとめて収納するとともに、店頭展示用の容器としても用いられる集合包装容器に関する。
【背景技術】
【０００２】
この種の集合包装容器としては、従来、上面に複数の凹陥部を形成したスタンドトレー上に、キャップを設けた一端部を凹陥部に差し込んだ立ち姿勢で複数個のチューブ容器を所定の間隔をおいて整列配置し、整列配置した複数個のチューブ容器の他端封止部上に天板を載置し、チューブ容器をスタンドトレー及び天板とともに被覆した熱収縮性合成樹脂フィルムを熱収縮させて緊締することにより、店頭等における陳列効果に優れ、かつ包装をより簡素化でき陳列作業の手間も省くことも可能なチューブ容器の集合包装容器が提案されている（例えば、特許文献１参照。）。
【０００３】
また、たとえば歯ブラシの集合包装容器としては、図１２に示すように、容器本体１０２上面の蓋体１０３にコ字状の切目線１３４を設けるとともに、左右側壁の上端後部から前方斜め下に延び、前方側壁の略中央部を横切る連続した帯状の切り離し案内部１２５を設けた容器１０１が提供されている。この集合包装容器１０１は、図中（ａ）に示す収納状態で店頭に運んだ後、図中（ｂ）に示すように切り離し案内部１２５を切り離して容器本体１０２の上部１２６を容器本体下部から取り外して商品が外部からよく見えるようにするとともに、蓋体１０３の切目線１３４を切り離し、２つに折り畳むことにより後方上部に板状の起立部１３５を形成し、収納容器がそのまま展示用の容器として利用される。
【０００４】
ところで、これら従来の集合包装容器では、収納されるチューブ容器や歯ブラシ等の商品の種類、特に寸法の違いに応じて、複数種類の集合包装容器を用意する必要がある。たとえば図１２の歯ブラシの例では、使用年齢等により特に柄の長さの異なる複数種類の歯ブラシを販売する必要があるが、これら多種類の歯ブラシを収納し、店頭でディスプレイするためには、図１２の容器本体１０２の高さの異なる複数種類の集合包装容器１０１を用意する必要があった。このように多種類の商品を収納・展示するための集合包装容器を各種類に応じて複数用意することは、当該容器の生産ロット数が少なく効率が悪く、製作コストが嵩むこととなる。
【０００５】
【特許文献１】特開２００１−３１５８４３号公報
【発明の開示】
【発明が解決しようとする課題】
【０００６】
そこで、本発明が前述の状況に鑑み、解決しようとするところは、同じ集合包装容器を用いて多種類の商品の収納・展示に対応でき、この共通化により製作コストを大幅に低減できる集合包装容器を提供する点にある。
【課題を解決するための手段】
【０００７】
本発明は、前述の課題解決のために、上端が開口され、内部に複数の同一種類の商品が収納される容器本体と、該容器本体の開口を臨む上方の複数の高さ位置に調整可能に設けられ、前記商品の上部を当止するための上押え蓋とよりなることを特徴とする集合包装容器を構成した。
【０００８】
ここで、前記上押え蓋が、平板状の押え部材とその側縁から下方に延びる腕部材とを備え、該腕部材に前記容器本体の側壁に対して位置調整可能に係合する係合部を設けたものが好ましい。
【０００９】
また、前記上押え蓋を、前記押え部材の左右側縁から一対の前記腕部材をそれぞれ下方に延設し、正面視略コ字状に構成したものが好ましい。
【００１０】
より具体的には、前記腕部材の側縁に沿って複数の突部を形成するとともに、前記容器本体の側壁に前記腕部材を挿通する挿通穴を設け、該挿通穴の隅部の前記突部に対応する位置に、各突部を挿通し且つ係止するための線状の貫通溝を設けて構成する。
【００１１】
さらに、前記突部を腕部材先端側および基端側にそれぞれ傾斜を有する略三角形状又は台形形状に形成し、基端側の傾斜角度を先端側に比べて大きく設定し、とくに前記貫通溝を下方に傾斜する方向に設けたものが好ましい。
【００１２】
また、前記容器本体の少なくとも前方側壁の上部を切除するための切り取り用案内部を設けたもの、とくに前記切り取り用案内部を少なくとも前方及び左右の側壁に連続して形成し、前記上押え蓋が係合する側壁上部を該上押え蓋とともに除去可能としたものが好ましい。
【００１３】
これら前記容器本体および上押え蓋は、好ましくはそれぞれ板紙を加工して構成される。
【発明の効果】
【００１４】
以上にしてなる本願発明に係る集合包装容器は、上押え蓋の高さ位置を調整することにより、高さの異なる複数種類の商品の収納・展示に対応することができ、各商品種類に応じた容器を用意する必要がない。そして、このような容器の共通化によって、製作コストを大幅に低減できる。
【００１５】
また、上押え蓋は、平板状の押え部材とその側縁から下方に延びる腕部材を備え、該腕部材に前記容器本体の側壁に対して位置調整可能に係合する係合部を設けた簡単な構造で、高さ調整可能であり且つ内部の複数商品をしっかりと収納状態に保持できる上押え蓋を作製できる。
【００１６】
また、押え部材の左右側縁から一対の前記腕部材をそれぞれ下方に延設し、正面視略コ字状に構成したので、簡単な構造であるにもかかわらず内部の商品をしっかりと収納保持できる。
【００１７】
また、腕部材の側縁に沿って複数の突部を形成するとともに、容器本体の側壁に前記腕部材を挿通する挿通穴を設け、該挿通穴の隅部の前記突部に対応する位置に、各突部を挿通し且つ係止するための線状の貫通溝を設けたので、適宜な高さ位置で、しっかりと複数の商品を収納保持できる。
【００１８】
また、突部を腕部材先端側および基端側にそれぞれ傾斜を有する略三角形状又は台形形状に形成し、基端側の傾斜角度を先端側に比べて大きく設定したので、装着しやすく外れにくい高さ調整可能な上押え蓋とすることができる。
【００１９】
また、容器本体の少なくとも前方側壁の上部を切除するための切り取り用案内部を設けたので、展示の際、前方から内部の商品をよく見えるようにすることができる。
【００２０】
また、切り取り用案内部を少なくとも前方及び左右の側壁に連続して形成し、前記上押え蓋が係合する側壁上部を該上押え蓋とともに除去可能としたので、容易に展示（ディスプレイ）状態とすることができる。
【発明を実施するための最良の形態】
【００２１】
次に、本発明の実施形態を添付図面に基づき詳細に説明する。
【００２２】
図１は、本発明に係る集合包装容器１の全体構成を示す斜視図であり、図１〜４は第１実施形態、図５〜８は第２実施形態、図９は第３実施形態、図１０は第４実施形態、図１１は第５実施形態を示し、図中符号１は集合包装容器、２は容器本体、３は上押え蓋をそれぞれ示している。
【００２３】
本発明の集合包装容器１は、図１および図２に示すように、上端が開口部２０を有し、内部に複数の同一種類の商品７，…が収納される容器本体２と、該容器本体２の開口部２０を臨む上方の複数の高さ位置に調整可能に設けられ、前記の各商品７の上部７０を当止するための上押え蓋３とより構成されている。本例では商品７として個包装された歯ブラシを示し、柄の長さの種類に応じて上押え蓋３の高さ位置が調整されることとなるが、商品７はこのような歯ブラシに何ら限定されないことは勿論である。
【００２４】
図２（ａ）は容器本体２に商品７を収納した上で、上押え蓋３を取り付け、輸送時などに内部の商品７が飛び出さないよう当止させた包装状態を示している。また、図２（ｂ）は上押え蓋３を取り外すとともに、容器本体２の前壁（前方側壁２４）の上部２６を切り取り線（切り取り用案内部２５）に沿って取り外し、内部の各商品７が外部から良く見え、取り出し可能とされたディスプレイ（展示）状態を示している。
【００２５】
容器本体２および上押え蓋３は、それぞれロールコート紙やコート紙、アート紙などの一般的な板紙を型切り、折り曲げ、接着などの加工をすることにより構成されているが、素材、加工方法はこれに限定されず、合成樹脂や金属、木材など種々の素材を単独または組み合わせて構成することもできる。
【００２６】
上押え蓋３は、図１に示すように平板状の押え部材３０とその左右側縁３０ａ，３０ａから下方に延びる一対の腕部材３１，３１とを備えており、本例ではこれら押え部材３０および腕部材３１，３１は一枚の板紙を型抜きして３０ａ，３０ａで正面視略コ字状になるように折り曲げて構成したものである。たとえば合成樹脂を用いて形成する場合は当該略コ字状に一体成形すればよい。
【００２７】
各腕部材３１には、容器本体２の対応する側壁２１に対して位置調整可能に係合するための係合部４が設けられている。具体的には、各腕部材３１は先端側（下側）が巾狭となる凸形状に構成されるとともに、この巾狭部３２の両側縁に沿って複数の突部４０，…が形成されている。そして、図２、３に示すように、この巾狭部３２の突部４０が容器本体２の対応する挿通穴２２に係止されることにより係合部４として機能する。
【００２８】
より詳しくは、図３に示すように、挿通穴２２の両隅に線状の貫通溝２３，２３が形成されており、巾狭部３２の各突部４０は、該貫通溝２３に挿通され且つこれに係止されるのである。突部４０は左右一対を一組として所定の高さ位置に複数組設けられ、巾狭部３２の挿通穴２２に対する挿入深さを調整して該挿通穴２２に係合される突部４０の組を選択することにより、上押え蓋３の押え部材３０の位置を収納する商品７の高さに応じて調整できるのである。
【００２９】
本例では６つの高さ位置にそれぞれ突部４０，４０の組が形成されており、上押え蓋３をそれぞれの位置に調整することにより、柄の長さによって全長の異なる６種類の歯ブラシ（商品７）を収納する種類に応じて内部でばらつくことなく適切に収納することが可能とされている。図２は二番目に長い商品７を複数収納した状態を示し、図４は最も短い（六番目に長い）商品７を複数収納した状態を示している。
【００３０】
各突部４０の形状は、腕部材３１先端側および基端側にそれぞれ傾斜を有する略三角形状に形成されており、基端側の傾斜角度θ２は先端側のθ１に比べて大きく設定され、対応する挿通穴２２の貫通溝２３も下方に傾斜する方向に設けられている。これにより、該貫通溝２３に挿入される下方向には突部４０が入りやすく、抜く上方向には係止されやすい構造とされている。
【００３１】
なお、係合部４はこのような突部４０や挿通穴２２以外のものでも良いことは勿論である。また、本例では突部４０を巾狭部３２の両側縁に設けているが、いずれか一方の側縁にのみ形成したものや左右交互に互い違いに設けたものでもよい。また、各突部４０の形状も三角形状以外に、台形や円弧状、その他の形状としても良い。
【００３２】
容器本体２の前方側壁２４には、図１および図２（ａ）に示すように、上部２６を切除するための略コ字形状の切り取り用案内部２５が設けられている。これは店頭などで展示する際に、上押え蓋３を取り外すとともに、該切り取り用案内部２５に沿って側壁２４を切断し、台形状の上部２６を切除することにより、図２（ｂ）に示すように前方から内部の商品７を良く視認できる窓部２７が形成される。
【００３３】
この切り取り用案内部２５は切目線以外に、薄肉なラインを設けたものでもよい。図４（ａ）は短いタイプの歯ブラシ商品７を収納した状態であり、上押え蓋３を取り外しただけでは商品７の上面のみしか見えないが、図４（ｂ）のように切り取り案内部２５に沿って上部２６を切除し、窓部２７を形成することにより、前方から内部の商品７が視認できるのである。
【００３４】
本例では容器本体２および上押え蓋３を平面視で矩形の容器としたが、本発明の集合包装容器１はこのような形状に何ら限定されず、内部に収納する商品等に応じて、円形、多角形、その他異形とすることもでき、その大きさも収納する商品の個数などに応じて適宜設定される。また、切り取り用案内部２５についても、本例のように略コ字形状以外に、半円形など、種々の形状を採用できる。
【００３５】
図５〜８は本発明の第２実施形態を示している。本実施形態の集合包装容器１は、容器本体２の上部２６Ａを切除するための切り取り用案内部２５を容器本体の前方側壁２４、左右側壁２１、２１、後方側壁２８に周設し、前記上押え蓋３が係合する側壁上部２６Ａを該上押え蓋３とともに除去可能としたものである。切り取り用案内部２５は上縁および下縁に各側壁から切断される切目線を有する帯状部であり、これを取り除くことにより筒状の上部２６Ａが下部２９から分離されるように構成されている。
【００３６】
図６（ａ）、（ｂ）は、容器本体２に商品７を収納し、上押え蓋３を取り付ける手順を示しており、上述の第１実施形態と同様、上押え蓋３の所定高さの突部４０，４０が挿通穴２２の貫通溝２３に挿通・係止されることにより容器本体２と上押え蓋３が係合する。そして、この挿通穴２２は、左右の各側壁２１における上部２６Ａの領域に形成されており、切り取り用案内部２５を容器本体２から切り外すことにより、図７に示すように、筒状の上部２６Ａとこれに係合している上押え蓋３が一体となって容器本体２の下部２９から分離して取り外される。
【００３７】
図８（ａ）、（ｂ）は、最も短い商品を収納して上押え蓋３を取り付ける手順、図８（ｃ）は容器本体２の上部２６Ａと上押え蓋３を一体的に切り離した状態を示している。帯状の切り取り用案内部２５は、前方側壁２４に下方に膨出した巾広部２５ａを有し、この切り取り用案内部２５を切り離した容器本体下部２９の前方側壁２４の上縁部に、略コ字状の窓部２７が形成され、前方から商品７が良く見えるように工夫されている。
【００３８】
なお、この切り取り用案内部２５は、少なくとも挿通穴２２を含む上部を分離できるように形成されるのであれば、側壁四方に周設する必要はなく、また、その高さも上部２６Ａを切り離した展示状態で内部の商品７を安定保持できる高さであれば、より低い位置に形成することも勿論可能である。その他の構成は基本的に上記第１実施形態と同様であるため、同一構造には同一符号を付して説明は省略する。
【００３９】
図９は本発明の第３実施形態を示している。本実施形態の集合包装容器１は、図９（ａ）に示すように、上押え蓋３が容器本体２の左右一方の側壁２１の上端縁２１ａに連続して一体的に構成されており、側壁２１に連続する側と反対側の端部に、腕部材３１が設けられ、上記第１実施形態と同様、他方の側壁２１の挿通穴２２に係合するように構成されている。なお、展示時には係合状態を解除し、前記側壁２１の上端縁で上押え蓋３を切り取りばよく、この上端縁に切目線を設けておいてもよい。
【００４０】
商品７の上部に当接する押え部材３０と連続する側壁２１との間の領域、同じく押え部材３０と腕部材３１との間の領域には、それぞれ複数の折り目線ａ，ｂ，ｃが形成されており、商品の高さに応じて各折り目線を選択して折り曲げることにより、巾狭部３２の挿通穴２２に対する挿入深さが調整されて該挿通穴２２に突部４０が係止される。図９（ｂ）は折り目線ｃ，ｃで折り曲げて最も長い商品７を収納した状態、図９（ｃ）は折り目線ａ，ａで折り曲げて最も短い商品７を収納した状態を示している。
【００４１】
本例では３種類の高さの異なる商品をそれぞれ折り目線を選択することにより収納できるように構成しているが、折り目線を増やして収納できる商品の種類を増やしたり逆に減らすことも可能である。その他の構成は基本的に上記第１実施形態と同様であるため、同一構造には同一符号を付して説明は省略する。
【００４２】
図１０は本発明の第４実施形態を示している。本実施形態の集合包装容器１は、腕部材３１の巾狭部３２の両側縁に一対の突部４０，４０を形成するとともに、容器本体２の側壁２１の複数の高さ位置に、巾狭部３２を挿通する挿通穴２２，・・・が設けられ、各挿通穴２２の隅部の突部４０，４０に対応する位置に、各突部４０を挿通し且つ係止するための線状の貫通溝２３が設けられている。このように挿通穴２２，・・・を所定の高さ位置に複数設け、突部４０，４０が係合される挿通穴２２を選択することにより、上押え蓋３の押え部材３０の位置を収納する商品７の高さに応じて調整できるのである。その他の構成は基本的に上記第１実施形態と同様である。
【００４３】
図１１は本発明の第５実施形態を示している。本実施形態の集合包装容器１は、図１１（ａ）に示すように容器本体２の左右側壁２１、２１の上部に上端８１を段差状に切り欠いた突出片８０，８０が一体的に形成され、この突出片８０，８０を左右側壁２１，２１の内面側にそれぞれ折り返して、図１１（ｂ）に示すように当該内面側に段差状の係止部８２ａ，８２ｂ，８２ｃがそれぞれ形成されている。
【００４４】
そして、上押え蓋３は、平板状の押え部材３０とその左右側縁３０ａ，３０ａから下方に延びる一対の腕部材３１Ａ，３１Ａとより構成されており、各腕部材３１Ａの下端に外側へ折り返された折返し部３３がそれぞれ形成され、これを容器本体２の内面側から前記段差状に複数設けられた係止部８２ａ，８２ｂ，８２ｃの何れかの左右一対の組に係合させることにより、上押え蓋３が商品７の高さに応じて適宜な位置に取り付けられる。その他の構成は基本的に上記第１実施形態と同様である。
【００４５】
以上、本発明の各実施形態について説明したが、本発明はこうした実施例に何ら限定されるものではなく、本発明の要旨を逸脱しない範囲において種々なる形態で実施し得ることは勿論である。
【図面の簡単な説明】
【００４６】
【図１】本発明の第１実施形態に係る集合包装容器を示す斜視図。
【図２】（ａ）は同じく集合包装容器の上押え蓋を取り付けた収納状態を示す斜視図、（ｂ）は同じく集合包装容器の上押え蓋を取り外した展示状態を示す斜視図。
【図３】同じく集合包装容器の上押え蓋と容器本体の係合部を示す要部の説明図。
【図４】（ａ）は同じく集合包装容器の上押え蓋を取り付けた収納状態を示す斜視図、（ｂ）は同じく集合包装容器の上押え蓋を取り外した展示状態を示す斜視図。
【図５】本発明の第２実施形態に係る集合包装容器を示す斜視図。
【図６】（ａ），（ｂ）は同じく集合包装容器に商品を収納して上押え蓋を取り付ける手順を示す斜視図。
【図７】同じく集合包装容器の上押え蓋を取り外した展示状態を示す斜視図。
【図８】（ａ），（ｂ）は同じく集合包装容器に商品を収納して上押え蓋を取り付ける手順を示す斜視図、（ｃ）は上押え蓋を取り外した展示状態を示す斜視図。
【図９】（ａ）〜（ｃ）は本発明の第３実施形態に係る集合包装容器を示す斜視図。
【図１０】本発明の第４実施形態に係る集合包装容器を示す側面図。
【図１１】（ａ），（ｂ）は本発明の第５実施形態に係る集合包装容器を示す斜視図。
【図１２】（ａ），（ｂ）は従来の集合包装容器を示す斜視図。
【符号の説明】
【００４７】
１  集合包装容器
２  容器本体
３  上押え蓋
４  係合部
７  商品
２０  開口部
２１  側壁
２１ａ  上端縁
２２  挿通穴
２３  貫通溝
２４  側壁
２５  切り取り用案内部
２５ａ  巾広部
２６，２６Ａ  上部
２７  窓部
２８  側壁
２９  下部
３０  押え部材
３０ａ  側縁
３１，３１Ａ  腕部材
３２  巾狭部
３３  折返し部
４０  突部
７０  上部
８０  突出片
８１  上端
８２ａ，８２ｂ，８２ｃ  係止部
ａ，ｂ，ｃ  折り目線
【図１】
2008001380.tif 000003
【図２】
2008001380.tif 000004
【図３】
2008001380.tif 000005
【図４】
2008001380.tif 000006
【図５】
2008001380.tif 000007
【図６】
2008001380.tif 000008
【図７】
2008001380.tif 000009
【図８】
2008001380.tif 000010
【図９】
2008001380.tif 000011
【図１０】
2008001380.tif 000012
【図１１】
2008001380.tif 000013
【図１２】
2008001380.tif 000014